(57)【要約】      （修正有）【課題】給餌係止の防止と定量的な給餌ができるペットフィーダーを提供する。【解決手段】ペットフィーダーは、筐体１０と、筐体の上部に係合された上蓋２０とを含み、筐体内に収容室３０が形成され、筐体の下部に出口１１が設置され、収容室の上部に餌料貯蔵室１００が設置され、下部に駆動機構２００が設置され、餌料貯蔵室の下部に回転子３００が設置され、回転子は、回転軸と、回転軸に設置された本体部とを含み、本体部の側壁に複数の羽根３３０が均一に配置され、餌料貯蔵室にて羽根の下方に出口に連通する餌料排出通路４００が設置され、駆動機構は回転子を回転駆動し、餌料貯蔵室内の餌料を餌料排出通路に搬送し、出口から餌料を排出する。餌料貯蔵室内に係止防止櫛が設置され、係止防止櫛は、櫛板と、櫛板に設置された櫛歯とを有し、櫛歯の自由端が羽根に近接し、回転子が回転する際に、羽根の上にこぼれ落ちた餌料の通過を阻止し、餌料排出量を制御して給餌係止を防止する。【選択図】図３
0003225978.tif 000002
【実用新案登録請求の範囲】
【請求項１】
給餌係止防止のペットフィーダーであって、筐体と、前記筐体の上部に係合された上蓋とを含み、前記筐体内に収容室が形成され、前記筐体の下部に出口が設置され、前記収容室の上部に餌料貯蔵室が設置され、下部に駆動機構が設置され、前記餌料貯蔵室の下部に回転可能な回転子が設置され、前記回転子は、回転軸と、当該回転軸に設置された本体部とを含み、前記本体部の側壁に複数の羽根が均一に配置され、前記餌料貯蔵室にて前記羽根の下方に餌料排出通路が設置され、当該餌料排出通路は前記出口に連通し、前記駆動機構は前記回転子に接続されて、またそれを回転させるように駆動し、前記餌料貯蔵室内の餌料を前記餌料排出通路に搬送し、前記出口を介して餌料を排出し、
前記餌料貯蔵室内に係止防止櫛が固定的に設置され、前記係止防止櫛は、櫛板と、当該櫛板に設置された櫛歯とを有し、前記櫛歯の自由端が前記羽根に近接して向き合い、前記回転子が回転する際に、前記櫛歯が羽根の上にこぼれ落ちた餌料の通過を阻止し、餌料排出量を制御することで、給餌係止を防止することを特徴とする給餌係止防止のペットフィーダー。
【請求項２】
前記餌料貯蔵室に余餌検出素子が設置され、前記筐体に表示灯が設置され、前記余餌検出素子は前記表示灯に電気的に接続され、検出結果を表示灯により表示することを特徴とする請求項１に記載の給餌係止防止のペットフィーダー。
【請求項３】
前記餌料貯蔵室の上部に開口部が設置され、前記上蓋にシール溝が設置され、前記シール溝にシールリングが挿通されて締り嵌めされ、前記上蓋が前記筐体に係合された際に、前記シールリングが前記開口部の周りを囲むことで前記餌料貯蔵室の内室を封着し、前記餌料貯蔵室に収容された餌料を乾燥状態に保持することを特徴とする請求項１に記載の給餌係止防止のペットフィーダー。
【請求項４】
前記上蓋に開閉可能な網板が設置され、前記網板と前記上蓋との間に乾燥剤室が形成され、当該乾燥剤室は乾燥剤を収容するためであることを特徴とする請求項１に記載の給餌係止防止のペットフィーダー。
【請求項５】
前記餌料排出通路内に給餌係止検出素子が設置されることを特徴とする請求項１に記載の給餌係止防止のペットフィーダー。
【請求項６】
前記櫛板の中央部は円弧状部であり、当該円弧状部の両側に平坦部が延出し、前記平坦部は前記櫛歯に下向きに突出し、
前記円弧状部は前記回転軸の回りに前記本体部に架設され、前記櫛歯は前記本体部の両側に位置することを特徴とする請求項１に記載の給餌係止防止のペットフィーダー。
【請求項７】
前記餌料貯蔵室の下部には、餌料仕込みの緩斜面と傾斜直面とを有し、前記傾斜直面と前記餌料仕込みの緩斜面の底部は下向きに延出して餌料放置筒が成形され、前記餌料放置筒の筒壁上部は前記傾斜直面から前記餌料仕込みの緩斜面の方向に向けて斜め下がりに傾斜して、前記傾斜直面の底部と前記餌料仕込みの緩斜面の底部とにそれぞれ係合され、前記餌料放置筒の筒底面に中心孔が設置され、前記筒底面は前記餌料排出通路に連通することを特徴とする請求項１に記載の給餌係止防止のペットフィーダー。
【請求項８】
前記本体部は前記餌料放置筒内に収容され、前記回転軸の下端は中心口を通って前記駆動機構に接続され、前記傾斜直面の上に位置決め孔があり、前記回転軸の上端は前記位置決め孔に据え付けられることを特徴とする請求項７に記載の給餌係止防止のペットフィーダー。
【請求項９】
前記櫛板の中央部は円弧状部であり、当該円弧状部の両側に平坦部が延出し、前記平坦部は断面が三角形状を呈し、前記平坦部と前記傾斜直面とに、互いに協働する係止部と係止溝とがそれぞれ設置され、それにより前記係止防止櫛を前記傾斜直面の下方に固定させることを特徴とする請求項７に記載の給餌係止防止のペットフィーダー。
【請求項１０】
前記駆動機構は、モータと、プーリ群と、スクロールと、ターンテーブルアセンブリとを含み、前記モータは前記プーリ群を駆動し、前記プーリ群は前記スクロールを回転させるように駆動し、前記スクロールはターンテーブルを回転させるように駆動し、前記ターンテーブルは前記回転子に接続されて、またそれを回転させるように駆動することを特徴とする請求項１に記載の給餌係止防止のペットフィーダー。
【請求項１１】
前記ターンテーブルアセンブリはターンテーブルを含み、当該ターンテーブルの周囲にげっ歯が設置され、当該ターンテーブルの中央部に係合筒が設置され、前記係合筒にはその長径に沿って縦リブが均等に配置され、前記回転軸の下端は、「＋」形に設置され、前記回転軸の下端は前記係合筒内に挿入されるとともに、前記縦リブの間に係合され、それにより前記ターンテーブルアセンブリの回転時に前記回転軸を連れて回転させることができることを特徴とする請求項１０に記載の給餌係止防止のペットフィーダー。
【請求項１２】
前記ターンテーブルの外側にマイクロスイッチが設置され、前記係合筒の外壁に複数の矢印状のトリガ部が設置され、前記トリガ部は、前記ターンテーブルに伴って回転し、前記マイクロスイッチを通過する際に、それと導通することで、前記ターンテーブルの次の回転をトリガすることを特徴とする請求項１１に記載の給餌係止防止のペットフィーダー。
【請求項１３】
前記スクロールは前記ターンテーブルの片側に設置されてこれと噛み合い、前記筐体内に第１の取り付けフレームと第２の取り付けフレームとがそれぞれ設置され、前記スクロールの両端は前記第１の取り付けフレームと前記第２の取り付けフレームに掛け渡されることを特徴とする請求項１１に記載の給餌係止防止のペットフィーダー。
【請求項１４】
前記筐体の底面にプーリ取り付けフレームが設置され、前記プーリ群は前記プーリ取り付けフレームに取り付けられ、前記プーリ群は第１のプーリと、第２のプーリと、第３のプーリとを含み、前記モータは前記筐体の底面に取り付けられ、前記モータは第１のベルトを介して前記第１のプーリを駆動し、前記第１のプーリ及び前記第２のプーリはプーリ軸を介して接続され、前記プーリ軸は前記取り付けフレームに架設され、前記第２のプーリと前記第３のプーリは第２のベルトを介して前記第３のプーリを駆動し、前記第３のプーリは前記スクロールに取り付けられることを特徴とする請求項１３に記載の給餌係止防止のペットフィーダー。
【請求項１５】
前記筐体内に防護カバーがさらに設置され、前記防護カバーは前記プーリ取り付けフレームに架設され、前記第３のプーリ及び前記スクロールを覆うことを特徴とする請求項１４に記載の給餌係止防止のペットフィーダー。
【請求項１６】
前記筐体に電池収容部がさらに設置され、電池は前記電池収容部に収容され、前記駆動機構に電力を供給することを特徴とする請求項１に記載の給餌係止防止のペットフィーダー。
【請求項１７】
前記筐体にＵＳＢインタフェースがさらに設置され、前記ＵＳＢインタフェースを介して商用電源と外部電源とを接続して前記駆動機構に電力を供給することを特徴とする請求項１に記載の給餌係止防止のペットフィーダー。
【請求項１８】
前記筐体は側壁と、前側壁とを有し、前記上蓋は前記側壁に係合され、２つは前記前側壁と嵌合して前記収容室を囲むことを特徴とする請求項１に記載の給餌係止防止のペットフィーダー。
【請求項１９】
前記出口は前記前側壁の下部に設置され、前記出口の下方に餌料皿が設置され、前記出口から排出される餌料を受けることを特徴とする請求項１８に記載の給餌係止防止のペットフィーダー。
【考案の詳細な説明】
【技術分野】
【０００１】
本考案は、フィーダー技術分野に関し、具体的には、給餌係止防止のペットフィーダーに関する。
【背景技術】
【０００２】
ペットは人間の友達であり、徐々に数多くの家に飼育されている。ペット用品も繁栄しており、そのうち、最も重要なペット用品の１つはフィーダーである。従来のフィーダーは餌料を定量的に排出することができないため、餌料排出量が多すぎたり少なすぎたりして、ペットの健康に影響したり、給餌係止が起こりやすくて、正常に動作できなかったり、フィーダー内の餌料が湿気により変質しやすいなどの問題がある。
【考案の概要】
【考案が解決しようとする課題】
【０００３】
従来技術の欠点を解決するために、本考案は、給餌係止防止のペットフィーダーを提供する。本考案は、従来のフィーダーは給餌係止が起こりやすくて、正常に餌料を定量的に排出できなかったり、餌料に湿気が帯びやすいなどの問題を解消する。
【課題を解決するための手段】
【０００４】
本考案の技術的解決手段は以下のとおりであり、給餌係止防止のペットフィーダーであって、筐体と、前記筐体の上部に係合された上蓋とを含み、前記筐体内に収容室が形成され、前記筐体の下部に出口が設置され、前記収容室の上部に餌料貯蔵室が設置され、下部に駆動機構が設置され、前記餌料貯蔵室の下部に回転可能な回転子が設置され、前記回転子は、回転軸と、当該回転軸に設置された本体部とを含み、前記本体部の側壁に複数の羽根が均一に配置され、前記餌料貯蔵室にて前記羽根の下方に餌料排出通路が設置され、当該餌料排出通路は前記出口に連通し、前記駆動機構は前記回転子に接続されて、またそれを回転させるように駆動し、前記餌料貯蔵室内の餌料を前記餌料排出通路に搬送し、前記出口を介して餌料を排出し、
前記餌料貯蔵室内に係止防止櫛が固定的に設置され、前記係止防止櫛は、櫛板と、当該櫛板に設置された櫛歯とを有し、前記櫛歯の自由端が前記羽根に近接して向き合い、前記回転子が回転する際に、前記櫛歯が羽根の上にこぼれ落ちた餌料の通過を阻止して、餌料排出量を制御することで、給餌係止を防止する。
【０００５】
前記餌料貯蔵室に余餌検出素子が設置され、前記筐体に表示灯が設置され、前記余餌検出素子は前記表示灯に電気的に接続され、検出結果を表示灯により表示する。
【０００６】
前記餌料貯蔵室の上部に開口部が設置され、前記上蓋にシール溝が設置され、前記シール溝にシールリングが挿通されて締り嵌めされ、前記上蓋が前記筐体に係合された際に、前記シールリングが前記開口部の周りを囲むことで前記餌料貯蔵室の内室を封着し、前記餌料貯蔵室に収容された餌料を乾燥状態に保持する。
【０００７】
前記上蓋に開閉可能な網板が設置され、前記網板と前記上蓋との間に乾燥剤室が形成され、当該乾燥剤室は乾燥剤を収容するためである。
【０００８】
前記餌料排出通路内に給餌係止検出素子が設置される。
【０００９】
前記櫛板の中央部は円弧状部であり、当該円弧状部の両側に平坦部が延出し、前記平坦部は前記櫛歯に下向きに突出し、
前記円弧状部は前記回転軸の回りに前記本体部に架設され、前記櫛歯は前記本体部の両側に位置する。
【００１０】
前記餌料貯蔵室の下部には、餌料仕込みの緩斜面と傾斜直面とを有し、前記傾斜直面と前記餌料仕込みの緩斜面の底部は下向きに延出して餌料放置筒が成形され、前記餌料放置筒の筒壁上部は前記傾斜直面から前記餌料仕込みの緩斜面の方向に向けて斜め下がりに傾斜して、前記傾斜直面の底部と前記餌料仕込みの緩斜面の底部とにそれぞれ係合され、前記餌料放置筒の筒底面に中心孔が設置され、前記筒底面は前記餌料排出通路に連通する。
【００１１】
前記本体部は前記餌料放置筒内に収容され、前記回転軸の下端は前記中心口を通って前記駆動機構に接続され、
前記傾斜直面に位置決め孔が設置され、前記回転軸の上端は前記位置決め孔に回転可能に取り付けられる。
【００１２】
前記平坦部は断面が三角形状を呈し、前記平坦部と前記傾斜直面とに、互いに協働する係止部と係止溝とがそれぞれ設置され、それにより前記係止防止櫛を前記傾斜直面の下方に固定させる。
【００１３】
前記駆動機構は、モータと、プーリ群と、スクロールと、ターンテーブルアセンブリとを含み、前記モータは前記プーリ群を駆動し、前記プーリ群は前記スクロールを回転させるように駆動し、前記スクロールは前記ターンテーブルを回転させるように駆動し、前記ターンテーブルは前記回転子に接続されて、またそれを回転させるように駆動する。
【００１４】
前記ターンテーブルアセンブリはターンテーブルを含み、当該ターンテーブルの周囲にげっ歯が設置され、当該ターンテーブルの中央部に係合筒が設置され、前記係合筒にはその長径に沿って縦リブが均等に配置され、前記回転軸の下端は、「＋」形に設置され、前記回転軸の下端は前記係合筒内に挿入されるとともに、前記縦リブの間に係合され、それにより前記ターンテーブルアセンブリの回転時に前記回転軸を連れて回転させることができる。
【００１５】
前記ターンテーブルの外側にマイクロスイッチが設置され、前記係合筒の外壁に複数の矢印状のトリガ部が設置され、前記トリガ部は、前記ターンテーブルに伴って回転し、前記マイクロスイッチを通過する際に、それと導通することで、前記ターンテーブルの次の回転をトリガする。
【００１６】
前記スクロールは前記ターンテーブルの片側に設置されてこれと噛み合い、前記筐体内に第１の取り付けフレームと第２の取り付けフレームとがそれぞれ設置され、前記スクロールの両端は前記第１の取り付けフレームと前記第２の取り付けフレームに掛け渡される。
【００１７】
前記筐体の底面にプーリ取り付けフレームが設置され、前記プーリ群は前記プーリ取り付けフレームに取り付けられ、前記プーリ群は第１のプーリと、第２のプーリと、第３のプーリとを含み、前記モータは前記筐体の底面に取り付けられ、前記モータは第１のベルトを介して前記第１のプーリを駆動し、前記第１のプーリ及び前記第２のプーリはプーリ軸を介して接続され、前記プーリ軸は前記取り付けフレームに架設され、前記第２のプーリと前記第３のプーリは第２のベルトを介して前記第３のプーリを駆動し、前記第３のプーリは前記スクロールに取り付けられる。
【００１８】
前記筐体内に防護カバーがさらに設置され、前記防護カバーは前記プーリ取り付けフレームに架設され、前記第３のプーリ及び前記スクロールを覆う。
【００１９】
前記筐体に電池収容部がさらに設置され、電池は前記電池収容部に収容され、前記駆動機構に電力を供給する。
【００２０】
前記筐体にＵＳＢインタフェースがさらに設置され、前記ＵＳＢインタフェースを介して商用電源と前記外部電源とを接続して前記駆動機構に電力を供給する。
【００２１】
前記筐体は側壁と、前側壁とを有し、前記上蓋は前記側壁に係合され、２つは前記前側壁と嵌合して前記収容室を囲む。
【００２２】
前記出口は前記前側壁の下部に設置され、前記出口の下方に餌料皿が設置され、前記出口から排出される餌料を受ける。
【考案の効果】
【００２３】
本考案の有益な効果は、次の通りである。本考案に係る給餌係止防止のペットフィーダーは、係止防止櫛の設置で１回の多すぎる餌料の排出を防止することで、給餌係止防止と定量的な給餌の効果を果たす。前記ペットフィーダーは、給餌係止検出素子を有し、給餌係止の状況を検出でき、さらに給餌係止防止の効果を果たす。前記ペットフィーダーは、餌料貯蔵室の封着により、餌料の湿気と汚染を防止でき、餌料の乾燥と清潔を保持し、餌料の長期間の保存に利便性を提供することができる。
【図面の簡単な説明】
【００２４】
【図１】本考案に係る給餌係止防止のペットフィーダーの構造概略図である。
【図２】図１に示される給餌係止防止のペットフィーダーの平面図である。
【図３】図２Ａ−Ａ線に沿う断面図である。
【図４】本考案に係る給餌係止防止のペットフィーダーの上蓋の構造概略図である。
【図５】本考案に係る給餌係止防止のペットフィーダーにおける餌料貯蔵室と餌料排出通路との組み合わせの構造概略図である。
【図６】本考案に係る給餌係止防止のペットフィーダーにおける下部分と餌料排出通路との組み合わせの構造概略図である。
【図７】図６の分解構造概略図である。
【図８】図６に係る餌料貯蔵室の下部分の他の構造概略図であり、図を明瞭に示すために、当該図において前記餌料放置筒を除去している。
【図９】本考案に係る給餌係止防止のペットフィーダーの回転子の構造概略図である。
【図１０】本考案に係る給餌係止防止のペットフィーダーの前記餌料貯蔵室、前記駆動機構、前記餌料排出通路及び前記筐体の下蓋の組み合わせの構造概略図である。
【図１１】本考案に係る給餌係止防止のペットフィーダーの前記駆動機構、前記回転子及び前記筐体の下蓋の組み合わせの構造概略図である。
【図１２】図１１の分解構造概略図である。
【図１３】本考案の前記駆動機構と前記回転子との組み合わせの構造概略図である。
【考案を実施するための形態】
【００２５】
本考案の目的、技術的解決手段及び技術的効果をより明確にするために、以下、具体的な実施形態を結合して本考案をさらに説明する。なお、本明細書に記載される具体的な実施例は、本考案を説明するためにのみ使用され、本考案を限定するために使用されないことを理解されたい。
【００２６】
図１、図２及び図３を参照すると、給餌係止防止のペットフィーダーであって、筐体１０と、前記筐体の上部に係合された上蓋２０とを含み、２つにより収容室３０が囲まれ、前記筐体１０の下部に出口１１が設置され、前記収容室３０の上部に餌料貯蔵室１００が設置され、下部に駆動機構２００が設置され、前記餌料貯蔵室１００の下部に回転可能な回転子３００が設置される。前記回転子３００は、回転軸３１０と、当該回転軸３１０に設置された本体部３２０とを含み、前記本体部３２０の側壁に複数の羽根３３０が均一に配置され、前記餌料貯蔵室１００にて前記羽根３３０の下方に餌料排出通路４００が設置される。当該餌料排出通路４００は前記出口１１に連通し、前記駆動機構２００は前記回転子３００に接続されて、またそれを回転させるように駆動し、前記餌料貯蔵室１００内に貯蔵した餌料を前記餌料排出通路４００に搬送し、前記出口１１を介して餌料を排出する。
【００２７】
前記上蓋２０は前記筐体１０に係合され、その係合方式はスナップ接続であってもよいし、またネジ止めであってもよい。図１に示す実施例では、２つはスナップ接続であり、前記上蓋２０と前記筐体１０の片側は、上蓋２０を容易に開けるために第１の回転軸１２によって枢着される。
【００２８】
図３及び図４を参照すると、前記餌料貯蔵室１００は前記収容室３０上部に設置される。前記餌料貯蔵室１００の上部に開口部１０１が設置される。前記上蓋２０にシール溝２１が設置され、前記シール溝２１にシールリング２２が挿通されて締り嵌めされ、前記上蓋２０が前記筐体１０に係合された際に、前記シールリング２２が前記開口１０１の周りを囲むことで前記餌料貯蔵室１００の内室を封着し、前記餌料貯蔵室１００に収容された餌料を乾燥状態に保持する。
【００２９】
図３及び図４を参照すると、好ましくは、本考案の一実施例において、前記餌料貯蔵室１００の上部に段差壁１０２がさらに設置され、前記上蓋２０に前記段差壁１０２に対応するリング壁２３が設置され、前記上蓋２０が前記筐体１００に係合される時に、前記リング壁２３は前記段差壁１０２に当接することで、外部と前記餌料貯蔵室１００との内部空間をさらに隔離し、餌料の乾燥を確保する。
【００３０】
図３及び図４を参照すると、好ましくは、本考案の一実施例において、前記上蓋２０に開閉可能な網板２４が設置され、前記網板２４と前記上蓋２０との間に乾燥剤室２５が形成される。当該乾燥剤室２５は乾燥剤を収容するためである。具体的には、前記上蓋２０の下面に凹溝が設置され、前記網板２４は前記凹溝を閉蓋することで、前記乾燥剤室が形成される。前記網板２４は、片側が前記凹溝の溝壁に軸ピンとピン孔とを介して枢着され、反対側が係止爪と係止溝とを介して係止される。前記網板を開く必要がある場合には、前記係止溝から前記係止爪を外し、前記網板２４を前記軸ピン回りに回転させることで、開き、前記乾燥剤を出し入れすることができる。前記網板２４を閉じる必要がある場合には、前記係止溝に前記係止爪を係止させればよい。前記乾燥剤は、前記餌料貯蔵室内の水分をさらに吸着して餌料を乾燥状態に保持する。
【００３１】
本考案の一実施例において、前記上蓋２０と前記筐体１０との間にボタンアセンブリ５０が設置され、当該ボタンアセンブリ５０を押して前記上蓋２０のスイッチを制御することで、前記上蓋２０をロック又は開放する。前記筐体にボタン溝が設置され、前記ボタンアセンブリは当該ボタン溝に収容される。前記ボタンアセンブリ５０は、一般的な従来の構造であり、当業者が知っておくべき周知の技術であり、本考案はこれに限定されない。
【００３２】
図１を参照すると、本考案の一実施例において、前記筐体１０は側壁１３と、前側壁１４とを有する。前記上蓋２０が前記側壁１３に係合され、２つは前記前側壁１４と嵌合して前記収容室を囲む。前記ボタンアセンブリ５０は、前記上蓋２０と前記前側壁１４の上部との間に設置される。前記側壁１３と前記前側壁１４とは固定的に接続され、２つの接続方式は、ネジ止め、スナップ接続、鋲接などであってもよい。
【００３３】
本考案の一実施例において、前記前側壁（１４）に手動餌料放置ボタン（１５）が設置される。前記手動餌料放置ボタン１５は前記駆動機構２００のオン又はオフを制御可能であるため、餌料放置と給餌停止を実現することができる。
【００３４】
本考案の一実施形態において、前記出口１１は前記前側壁の下部に設置される。好ましくは、前記出口１１の下方には、前記出口１１から排出される餌料を受ける餌料皿４０が設置される。
【００３５】
好ましくは、前記前側壁１４は円弧状面に設置され、前記餌料皿４０も円形に設置され、それにより前記餌料皿４０が前記前側壁１４に貼り合わせできるようにし、前記餌料皿４０の外に餌料が露出することを防止し、前記ペットフィーダーは美観を造る。好ましくは、図３を参照すると、前記餌料皿４０と前記前側壁１４には、互いに係止する係止爪４１と係止溝１６がそれぞれ設置される。係止爪４１と係止溝１６との係止により前記餌料皿４０が前記前側壁１４に固定され、ペットの食事中に前記餌料皿３０が動くことを防止する。
【００３６】
図５、図６、図７及び図８を参照すると、前記餌料貯蔵室１００の下部は異方性漏斗形状に設置され、餌料仕込みの緩斜面１１０を有し、当該餌料仕込みの緩斜面１１０の片側に傾斜直面１２０が設置され、前記傾斜直面１２０と前記餌料仕込みの緩斜面１１０の底部は下向きに延出して餌料放置筒１３０が成形される。前記餌料仕込みの緩斜面１１０と前記傾斜直面１２０は前記餌料貯蔵室を入ってくる餌料の落下と前記餌料放置筒１３０に入ることに有利である。前記餌料放置筒１３０の側部に外凸部１３１が設置され、その筒壁上部は前記傾斜直面１２０から前記餌料仕込みの緩斜面１１０の方向に向けて斜め下がりに傾斜して、前記傾斜直面１２０の底部と前記餌料仕込みの緩斜面１１０の底部とにそれぞれ係合される。前記餌料貯蔵室１００の構造は、餌料がその底部に容易に落ち、下記の回転子に精確に入り込み、上部に餌料が堆積することを防止する。
【００３７】
前記餌料貯蔵室１００の底面は前記餌料放置筒１３０の底面であり、当該底面に中心孔１０５が設置される。
【００３８】
図３を参照すると、前記餌料放置筒１３０の底面は前記餌料排出通路４００に連通する。具体的には、前記餌料排出通路４００は、一端が前記餌料放置筒１３０の底面に接続され、他端が開口となって、前記筐体１０の側部に接続される。具体的には、前記前側壁１４に接続される。
【００３９】
なお、前記餌料貯蔵室１００は、一体的に形成されてもよいし、別体的に形成されてもよい。他の部品の取り付けを容易にするために、別体に設計されることが好ましい。図５を参照すると、このとき、前記餌料貯蔵室１００は、上部筐体１０６と下部筐体１０７とを含む。前記開口１０１は前記上部筐体１０６の上部に設置される。前記下部筐体１０７は上記のように、異方性漏斗形状に設置される。前記上部筐体１０６と前記下部筐体１０７との接続方式は、スナップ接続、ネジ止めなどであってもよい。
【００４０】
好ましくは、前記餌料貯蔵室１００に余餌検出素子１０４が設置され、前記筐体に表示灯１０８が設置され、前記余餌検出素子１０４は前記表示灯１０８に電気的に接続され、検出結果を表示灯により表示する。
【００４１】
前記餌料排出通路４００に給餌係止検出素子４０１が設置され、前記給餌係止検出素子４０１は前記給餌係止表示灯１０９に接続され、検出結果を給餌係止表示灯１０９により表示する。
【００４２】
図６、図７及び図９を参照すると、前記回転子３００の本体部３２０は、円筒部３２１と、当該円筒部に設置された逆円錐形の上部３２２とを有する。前記羽根３３０は、前記円筒部３２１の側壁に均一に設置される。逆円錐形の上部３２２は、前記羽根３２０の間へ餌料を容易にガイドする。
【００４３】
前記本体部３２１は前記餌料放置筒１３０内に収容される。餌料は前記餌料放置筒１３０内に入り、前記羽根３３０の間に散布する。前記回転軸３１０の下端は、前記中心口１０５を通って前記駆動機構２００に接続される。前記駆動機構２００を前記餌料貯蔵室１００外に設置することで、前記駆動機構２００内に餌料が落ちて、前記駆動機構２００の運転に影響を与えることを防止する。
【００４４】
前記餌料貯蔵室１００内に位置決め孔１４０が設置される。具体的には、前記位置決め孔１４０は前記傾斜直面１２０に設置される。前記回転軸３１０の上端は前記位置決め孔１４０に回転可能に取り付けられる。具体的には、前記回転軸３１０の上端にストッパー３１１がさらに環設され、当該ストッパー３１１は対称に設置された両翼部を有し、前記回転軸３０の上端は前記位置決め孔１４０に挿通され、前記ストッパー３１１によって前記回転軸が前記位置決め孔１４０から脱落することが阻止される。この構成により、前記回転子の回転がより安定し、前記給餌係止防止のペットフィーダーのばたつきが防止される。
【００４５】
図６及び図７を参照すると、前記餌料貯蔵室１００内に係止防止櫛１５０が固定的に設置される。前記係止防止櫛１５０は、櫛板１５１と、当該櫛板に設置された櫛歯１５２とを有し、前記櫛歯１５２の自由端が前記羽根１３０に近接して向き合い、前記回転子３００が回転する際に、前記櫛歯１５２が前記羽根１３０の上にこぼれ落ちた餌料の通過を阻止して、前記羽根１３０間の餌料を平らにすることで、餌料の排出量を制御し、給餌係止を防止し、定量的な給餌を達成する。
【００４６】
前記櫛歯１５１の中央部は円弧状部１５３であり、当該円弧状部１５３の両側に平坦部１５４が延出し、前記平坦部１５４は前記櫛歯１５２に下向きに突出する。前記平坦部１５４は断面が三角形状を呈し、前記櫛歯１５２は前記平坦部１５４において直線状に配列され、前記櫛歯１５２と前記平坦部１５４とのなす角度は９０−１３５°であることが好ましい。
【００４７】
図７及び図８を参照すると、前記平坦部１５４と前記傾斜直面１１０とに、互いに協働する係止部１１１と係止溝１５５とがそれぞれ設置され、それにより前記係止防止櫛１５０を前記傾斜直面１１０の下方に固定させる。具体的には、前記平坦部に係止溝が設置され、前記傾斜直面に係止爪が設置され、前記係止爪は前記係止溝に挿入されることで、前記係止防止櫛を前記平坦部の下方に固定させる。前記係止爪を前記平坦部に設置して、前記係止溝を前記傾斜直面に設置してもよい。
【００４８】
前記係止防止櫛１５０の円弧状部１５３は、前記本体部３２０の上方に前記回転軸３１０の回りに架設されることで、前記櫛歯１５２を前記本体部３２０の両側に分布させる。好ましくは、前記櫛歯１５２は、前記羽根１３０の上方に配置され、羽根１３０から３−１０ｍｍの垂直距離で、前記櫛歯１５２の前記羽根１３０の回転への阻止を防止する。
【００４９】
餌料は前記餌料貯蔵室１３０内に堆積し、前記羽根３３０の間にこぼれ落ちる。餌料が多いと、餌料が堆積し、その高さが前記羽根３３０を超える。前記駆動機構２００が前記回転子３００を回転させるように駆動すると、前記羽根３３０が前記餌料を前記餌料排出通路４００に向けて押すように回転する。前記係止防止櫛１５０は、前記羽根３３０より高く出た餌料の通過を阻止し、前記係止防止櫛１５０を回した２つの隣接する羽根の間で前記羽根１３０の間の餌料を平らにすることで、排出される餌料の分量を制御する。餌料が前記餌料排出通路４００まで回転すると、前記餌料排出通路４００を通して出口１１に落ちる。この構成により、餌料の排出量の制御を実現し、過剰な餌料が餌料排出通路内に係止することを防止し、給餌係止防止の効果を実現する。
【００５０】
図１０、図１１、図１２及び図１３を参照すると、前記駆動機構２００は、前記回転子３００を回転させるように駆動する。前記駆動機構２００は、モータ２１０と、プーリ群２２０と、スクロール２３０と、ターンテーブルアセンブリ２４０とを含む。前記モータ２１０は前記プーリ群２２０を駆動し、前記プーリ群２２０は前記スクロール２３０を回転させるように駆動する。前記スクロール２３０は前記ターンテーブル２４０を回転させるように駆動する。前記ターンテーブル２４０は前記回転子３００に接続されて、またそれを回転させるように駆動する。
【００５１】
前記ターンテーブルアセンブリ２４０はターンテーブル２４１を含み、当該ターンテーブル２４１の周囲にげっ歯２４２が設置され、前記ターンテーブル２４１の中央部に係合筒２４３が設置され、前記係合筒２４３にはその長径に沿って縦リブ２４４が均等に配置される。前記回転軸３１０の下端は、「＋」形に設置される。前記回転軸３１０の下端は前記係合筒内に挿入されるとともに、前記縦リブ２４４の間に係合され、それにより前記ターンテーブルアセンブリ２４０の回転時に前記回転軸３００を連れて回転させることができる。
【００５２】
前記ターンテーブル２４１は前記スクロール２３０と噛み合う。具体的には、前記スクロール２３０は前記ターンテーブル２４１の片側に設置される。前記筐体１０の前記ターンテーブルの片側に、第１の取り付けフレーム１４と第２の取り付けフレーム１５とがそれぞれ設置され、前記スクロール２３０の両端は前記第１の取り付けフレーム１４と前記第２の取り付けフレーム１５に掛け渡される。
【００５３】
前記筐体１０の底面にプーリ取り付けフレーム１６が設置される。前記プーリ群２２０は前記プーリ取り付けフレーム１６に取り付けられる。前記プーリ群２２０は第１のプーリ２２１と、第２のプーリ２２２と、第３のプーリ２２３とを含む。前記モータ２１０は前記筐体１０の底面に取り付けられる。前記モータ２１０は第１のベルト２２４を介して前記第１のプーリ２２１を駆動する。前記第１のプーリ２２１及び前記第２のプーリ２２２はプーリ軸２２５を介して接続され、前記プーリ軸２２５は前記取り付けフレーム１６に架設される。前記第２のプーリ２２２と前記第３のプーリ２２３は第２のベルト２２６を介して前記第３のプーリ２２３を駆動し、前記第３のプーリ２２３は前記スクロール２３０に取り付けられる。
【００５４】
好ましくは、前記筐体１０内に防護カバー２５０がさらに設置され、前記防護カバー２５０は前記プーリ取り付けフレーム１６に架設され、前記第３のプーリ２２３及び前記スクロール２３０を覆う。
【００５５】
前記筐体１０の底面に通気孔（図示せず）がさらに設置され、前記筐体内の気体の流れを保持し、餌料の腐敗を防止する。
【００５６】
図１０を参照すると、前記筐体１０に電池収容部１８がさらに設置される。電池は前記電池収容部１８に収容され、前記駆動機構２００に電力を供給する。好ましくは、前記筐体１０にＵＳＢインタフェース１９がさらに設置されることで、ユーザは商用電源又は外部電源を用いて前記駆動機構２００に電力を供給することを選択できる。
【００５７】
上記の内容は、具体的な好ましい実施形態を結合して、本考案をさらに詳細に説明したが、本考案の具体的な実施形態はこれらの説明に限定されるとは考えられない。本考案が属する技術分野における当業者であれば、本考案の考えから逸脱することなく、そのアーキテクチャ形式を柔軟に変更し、シリーズ製品を派生することができる。いくつかの単純な推論又は代替を行うだけで、いずれも本考案の特許請求の範囲によって決定される特許保護の範囲に属すると見なされるべきである。
【図１】
0003225978.tif 000003
【図２】
0003225978.tif 000004
【図３】
0003225978.tif 000005
【図４】
0003225978.tif 000006
【図５】
0003225978.tif 000007
【図６】
0003225978.tif 000008
【図７】
0003225978.tif 000009
【図８】
0003225978.tif 000010
【図９】
0003225978.tif 000011
【図１０】
0003225978.tif 000012
【図１１】
0003225978.tif 000013
【図１２】
0003225978.tif 000014
【図１３】
0003225978.tif 000015
【手続補正書】
【提出日】令和2年2月14日(2020.2.14)
【手続補正１】
【補正対象書類名】実用新案登録請求の範囲
【補正対象項目名】全文
【補正方法】変更
【補正の内容】
【実用新案登録請求の範囲】
【請求項１】
給餌係止防止のペットフィーダーであって、筐体と、前記筐体の上部に係合された上蓋とを含み、前記筐体内に収容室が形成され、前記筐体の下部に出口が設置され、前記収容室の上部に餌料貯蔵室が設置され、下部に駆動機構が設置され、前記餌料貯蔵室の下部に回転可能な回転子が設置され、前記回転子は、回転軸と、当該回転軸に設置された本体部とを含み、前記本体部の側壁に複数の羽根が均一に配置され、前記餌料貯蔵室にて前記羽根の下方に餌料排出通路が設置され、当該餌料排出通路は前記出口に連通し、前記駆動機構は前記回転子に接続されて、またそれを回転させるように駆動し、前記餌料貯蔵室内の餌料を前記餌料排出通路に搬送し、前記出口を介して餌料を排出し、
前記餌料貯蔵室内に係止防止櫛が固定的に設置され、前記係止防止櫛は、櫛板と、当該櫛板に設置された櫛歯とを有し、前記櫛歯の自由端が前記羽根に近接して向き合い、前記回転子が回転する際に、前記櫛歯が羽根の上にこぼれ落ちた餌料の通過を阻止し、餌料排出量を制御することで、給餌係止を防止することを特徴とする給餌係止防止のペットフィーダー。
【請求項２】
前記餌料貯蔵室に余餌検出素子が設置され、前記筐体に表示灯が設置され、前記余餌検出素子は前記表示灯に電気的に接続され、検出結果を表示灯により表示することを特徴とする請求項１に記載の給餌係止防止のペットフィーダー。
【請求項３】
前記餌料貯蔵室の上部に開口部が設置され、前記上蓋にシール溝が設置され、前記シール溝にシールリングが挿通されて締り嵌めされ、前記上蓋が前記筐体に係合された際に、前記シールリングが前記開口部の周りを囲むことで前記餌料貯蔵室の内室を封着し、前記餌料貯蔵室に収容された餌料を乾燥状態に保持することを特徴とする請求項１に記載の給餌係止防止のペットフィーダー。
【請求項４】
前記上蓋に網板が設置され、前記網板と前記上蓋との間に乾燥剤室が形成され、当該乾燥剤室は乾燥剤を収容するためであることを特徴とする請求項１に記載の給餌係止防止のペットフィーダー。
【請求項５】
前記餌料排出通路内に給餌係止検出素子が設置されることを特徴とする請求項１に記載の給餌係止防止のペットフィーダー。
【請求項６】
前記櫛板の中央部は円弧状部であり、当該円弧状部の両側に平坦部が延出し、前記平坦部は前記櫛歯に下向きに突出し、
前記円弧状部は前記回転軸の回りに前記本体部に架設され、前記櫛歯は前記本体部の両側に位置することを特徴とする請求項１に記載の給餌係止防止のペットフィーダー。
【請求項７】
前記餌料貯蔵室の下部には、餌料仕込みの緩斜面と傾斜直面とを有し、前記傾斜直面と前記餌料仕込みの緩斜面の底部は下向きに延出して餌料放置筒が成形され、前記餌料放置筒の筒壁上部は前記傾斜直面から前記餌料仕込みの緩斜面の方向に向けて斜め下がりに傾斜して、前記傾斜直面の底部と前記餌料仕込みの緩斜面の底部とにそれぞれ係合され、前記餌料放置筒の筒底面に中心孔が設置され、前記筒底面は前記餌料排出通路に連通することを特徴とする請求項１に記載の給餌係止防止のペットフィーダー。
【請求項８】
前記本体部は前記餌料放置筒内に収容され、前記回転軸の下端は中心口を通って前記駆動機構に接続され、前記傾斜直面の上に位置決め孔があり、前記回転軸の上端は前記位置決め孔に据え付けられることを特徴とする請求項７に記載の給餌係止防止のペットフィーダー。
【請求項９】
前記櫛板の中央部は円弧状部であり、当該円弧状部の両側に平坦部が延出し、前記平坦部は断面が三角形状を呈し、前記平坦部と前記傾斜直面とに、互いに協働する係止部と係止溝とがそれぞれ設置され、それにより前記係止防止櫛を前記傾斜直面の下方に固定させることを特徴とする請求項７に記載の給餌係止防止のペットフィーダー。
【請求項１０】
前記駆動機構は、モータと、プーリ群と、スクロールと、ターンテーブルアセンブリとを含み、前記モータは前記プーリ群を駆動し、前記プーリ群は前記スクロールを回転させるように駆動し、前記スクロールはターンテーブルを回転させるように駆動し、前記ターンテーブルは前記回転子に接続されて、またそれを回転させるように駆動することを特徴とする請求項１に記載の給餌係止防止のペットフィーダー。
【請求項１１】
前記ターンテーブルアセンブリはターンテーブルを含み、当該ターンテーブルの周囲にげっ歯が設置され、当該ターンテーブルの中央部に係合筒が設置され、前記係合筒にはその長径に沿って縦リブが均等に配置され、前記回転軸の下端は、「＋」形に設置され、前記回転軸の下端は前記係合筒内に挿入されるとともに、前記縦リブの間に係合され、それにより前記ターンテーブルアセンブリの回転時に前記回転軸を連れて回転させることができることを特徴とする請求項１０に記載の給餌係止防止のペットフィーダー。
【請求項１２】
前記ターンテーブルの外側にマイクロスイッチが設置され、前記係合筒の外壁に複数の矢印状のトリガ部が設置され、前記トリガ部は、前記ターンテーブルに伴って回転し、前記マイクロスイッチを通過する際に、それと導通することで、前記ターンテーブルの次の回転をトリガすることを特徴とする請求項１１に記載の給餌係止防止のペットフィーダー。
【請求項１３】
前記スクロールは前記ターンテーブルの片側に設置されてこれと噛み合い、前記筐体内に第１の取り付けフレームと第２の取り付けフレームとがそれぞれ設置され、前記スクロールの両端は前記第１の取り付けフレームと前記第２の取り付けフレームに掛け渡されることを特徴とする請求項１１に記載の給餌係止防止のペットフィーダー。
【請求項１４】
前記筐体の底面にプーリ取り付けフレームが設置され、前記プーリ群は前記プーリ取り付けフレームに取り付けられ、前記プーリ群は第１のプーリと、第２のプーリと、第３のプーリとを含み、前記モータは前記筐体の底面に取り付けられ、前記モータは第１のベルトを介して前記第１のプーリを駆動し、前記第１のプーリ及び前記第２のプーリはプーリ軸を介して接続され、前記プーリ軸は前記取り付けフレームに架設され、前記第２のプーリと前記第３のプーリは第２のベルトを介して前記第３のプーリを駆動し、前記第３のプーリは前記スクロールに取り付けられることを特徴とする請求項１３に記載の給餌係止防止のペットフィーダー。
【請求項１５】
前記筐体内に防護カバーがさらに設置され、前記防護カバーは前記プーリ取り付けフレームに架設され、前記第３のプーリ及び前記スクロールを覆うことを特徴とする請求項１４に記載の給餌係止防止のペットフィーダー。
【請求項１６】
前記筐体に電池収容部がさらに設置され、電池は前記電池収容部に収容され、前記駆動機構に電力を供給することを特徴とする請求項１に記載の給餌係止防止のペットフィーダー。
【請求項１７】
前記筐体にＵＳＢインタフェースがさらに設置され、前記ＵＳＢインタフェースを介して商用電源と外部電源とを接続して前記駆動機構に電力を供給することを特徴とする請求項１に記載の給餌係止防止のペットフィーダー。
【請求項１８】
前記筐体は側壁と、前側壁とを有し、前記上蓋は前記側壁に係合され、２つは前記前側壁と嵌合して前記収容室を囲むことを特徴とする請求項１に記載の給餌係止防止のペットフィーダー。
【請求項１９】
前記出口は前記前側壁の下部に設置され、前記出口の下方に餌料皿が設置され、前記出口から排出される餌料を受けることを特徴とする請求項１８に記載の給餌係止防止のペットフィーダー。